(57)【要約】【課題】紙切れ期間なく使用できるロールペーパー用ディスペンサーを提供する。【解決手段】上部支持手段３０と下部支持手段４０とを有し、上部支持手段３０に支持あされたロールペーパーから繰り出されるペーパーシートを挟持する可動ロール５０とこれに対となる抑えロール６０とを有し、上部支持手段に支持されたロールペーパー５のロール径が所定径となると、上部支持手段３０によるロールペーパーの支持が開放されるとともに、可動ロールと抑えロールとの間が離間し、前記ロールペーパーが下部支持手段に移動して、上部支持手段に新たなロールペーパーの設置が可能となるロールペーパー用ディスペンサーにより解決される。【選択図】図４
2010233971.tif 000002
【特許請求の範囲】
【請求項１】
複数のロールペーパーを内部で収納可能としたロールペーパー用ディスペンサーであって、
ロールペーパーから繰り出されたペーパーシートを引き出すための下部取り出し口と、
ロールペーパーを回動自在に軸支持する上部支持手段と、
この上部支持手段に支持されたロールのロール径を監視するセンサーと、センサーによって感知されたロール径に応じて前記上部支持手段によるロールペーパーの支持を開放する開放手段と、
ロール軸心と平行な軸心をもって配置され、正面側と背面側とをその軸心の平行を維持しつつ移動可能とされ、通常状態においては背面側に位置し、かつ上部支持手段に支持された状態のロールペーパーから繰り出されたペーパーシートに対してディスペンサー背面側から当接する回動自在な可動ロールと、
この可動ロールが正面側に位置したときに、上部支持手段に支持された状態のロールペーパーから繰り出されたペーパーシートに対して正面側から当接して可動ロールとの間で挟持する抑えロールと、
前記上部支持手段の下方に位置し、前記可動ロールが背面側に位置している状態で上部支持手段が開放されたときに下方に移動するロールペーパーを回動自在な状態に受けて支持する下部支持手段と、
前記可動ロール及び抑えロールの下方かつ下部取り出し口の上方に位置して、上部支持手段又は下部支持手段に支持されているロールペーパーから繰り出されるペーパーシートの端部を下部取り出し口へと案内する一対の送りロールと、を備え、
上部支持手段に支持されたロールペーパーから繰り出されるペーパーシートが送りロールを介して取り出し口に案内されるように構成され、さらに使用によってロール径が減少して所定ロール径となったことを前記センサーが感知したときに、上部支持手段による支持が開放されて使用残を有するロールペーパーが、背面側に位置する可動ロールと抑えロールとの離間部を通って、そのペーパー端部が前記一対の送りロールに挟持された状態で下部支持手段へと移動され、その後に前記上部支持手段へ新たなロールペーパーの支持装着が可能となる、ことを特徴とするロールペーパー用ディスペンサー。
【請求項２】
下部支持手段に支持されたロールペーパーの紙残量がなくなったことを感知するセンサーを有し、
下部支持手段に支持されたロールペーパーが使用されている際に、上部支持手段に支持されている未使用のロールペーパーのペーパー端部を仮止めする仮止め手段を可動ロールに有し、
前記下部支持手段にロールペーパーの残量がなくなったことを前記センサーによって関知されたときに、前記可動ロールが正面側に移動するとともに、この可動ローラと抑えローラとが稼働して、上部支持手段に支持されたペーパーのペーパー端部が送りローラに送られ、送りローラによって当該ペーパー端部が挟持された後に、前記可動ロールが背面側に戻り、この際に前記仮止め手段によりペーパー端部の仮止めが解除されるように構成されている、請求項１記載のロールペーパー用ディスペンサー。
【請求項３】
一対の送りロールを駆動させる駆動手段と、この駆動手段のＯＮ／ＯＦＦを行なうためのスイッチとを有する請求項１又は２記載のロールペーパー用ディスペンサー。
【発明の詳細な説明】
【技術分野】
【０００１】
本発明は、衛生薄葉紙をロール状に巻取ったロールペーパー用のディスペンサーに関する。
【背景技術】
【０００２】
帯状の衛生薄葉紙をロール状に巻取ってなるロールペーパーは、トイレットロール、キッチンロール、ロールペーパータオルなどとしてよく知られる。
このロールペーパー（以下、単にロールともいう）は、内部でこれを回動自在に支持して、取り出し口から適宜必要長さ引き出し可能とした、ディスペンサーを用いて使用されることがある。
この種のディスペンサーのほとんどは、下記特許文献４に示されるような一つのロールを内部に保持して、その一つを使い切った後に、次の一つを補充して使用するものである。
この従来ディスペンサーでは、ロールペーパーのすべてを使い切ってしまった後には、新たなロールペーパーを保管場所から持ってきて補充する必要があり、ディスペンサー内のロールペーパーを使い切ったのち、新たなロールペーパーをセットするまでの間、使用することができない期間がある。
この期間を短くすべく、従来ディスペンサーの中には、ディスペンサー内に予備ロールの収納部分を設けたものもあるが、新たなロールペーパーをセットするまでに、一定期間使用できないことには代わりがなく、単にストック箇所を設けただけであり、上述の一つのもののみを収納するもの基本的にはかわりがない。また、このようなディスペンサーでは、引出し可能なロールが使い切られたことに気が付かない場合も多い。
これらの問題点に鑑みて、例えば、下記特許文献１〜３に示されるように、カセット式として自動的に予備ロールから排紙されるようにしたものが知られる。
しかしながら、このディスペンサーは、機構が複雑であるとともにカセットにロールをセットする手間もあり、コスト面、操作の面でデメリットがある。
【先行技術文献】
【特許文献】
【０００３】
【特許文献１】特開平０１−２６２８１６
【特許文献２】特開平０１−２６２８１７
【特許文献３】特開平０１−２６２８１８
【特許文献４】特表２００２−５１５２７３
【発明の概要】
【発明が解決しようとする課題】
【０００４】
そこで、本発明の主たる課題は、比較的簡素な機構であり、しかもロールの紙を使い切った後に、煩雑な操作なく、しかも、紙切れの期間なく、次のロールを使うことができるロールペーパーディスペンサーを提供することにある。
【課題を解決するための手段】
【０００５】
上記課題を解決した本発明は次記のとおりである。
＜請求項１記載の発明＞
複数のロールペーパーを内部で収納可能としたロールペーパー用ディスペンサーであって、
ロールペーパーから繰り出されたペーパーシートを引き出すための下部取り出し口と、
ロールペーパーを回動自在に軸支持する上部支持手段と、
この上部支持手段に支持されたロールのロール径を監視するセンサーと、センサーによって感知されたロール径に応じて前記上部支持手段によるロールペーパーの支持を開放する開放手段と、
ロール軸心と平行な軸心をもって配置され、正面側と背面側とをその軸心の平行を維持しつつ移動可能とされ、通常状態においては背面側に位置し、かつ上部支持手段に支持された状態のロールペーパーから繰り出されたペーパーシートに対してディスペンサー背面側から当接する回動自在な可動ロールと、
この可動ロールが正面側に位置したときに、上部支持手段に支持された状態のロールペーパーから繰り出されたペーパーシートに対して正面側から当接して可動ロールとの間で挟持する抑えロールと、
前記上部支持手段の下方に位置し、前記可動ロールが背面側に位置している状態で上部支持手段が開放されたときに下方に移動するロールペーパーを回動自在な状態に受けて支持する下部支持手段と、
前記可動ロール及び抑えロールの下方かつ下部取り出し口の上方に位置して、上部支持手段又は下部支持手段に支持されているロールペーパーから繰り出されるペーパーシートの端部を下部取り出し口へと案内する一対の送りロールと、を備え、
上部支持手段に支持されたロールペーパーから繰り出されるペーパーシートが送りロールを介して取り出し口に案内されるように構成され、さらに使用によってロール径が減少して所定ロール径となったことを前記センサーが感知したときに、上部支持手段による支持が開放されて使用残を有するロールペーパーが、背面側に位置する可動ロールと抑えロールとの離間部を通って、そのペーパー端部が前記一対の送りロールに挟持された状態で下部支持手段へと移動され、その後に前記上部支持手段へ新たなロールペーパーの支持装着が可能となる、ことを特徴とするロールペーパー用ディスペンサー。
【０００６】
＜請求項２記載の発明＞
下部支持手段に支持されたロールペーパーの紙残量がなくなったことを感知するセンサーを有し、
下部支持手段に支持されたロールペーパーが使用されている際に、上部支持手段に支持されている未使用のロールペーパーのペーパー端部を仮止めする仮止め手段を可動ロールに有し、
前記下部支持手段にロールペーパーの残量がなくなったことを前記センサーによって関知されたときに、前記可動ロールが正面側に移動するとともに、この可動ローラと抑えローラとが稼働して、上部支持手段に支持されたペーパーのペーパー端部が送りローラに送られ、送りローラによって当該ペーパー端部が挟持された後に、前記可動ロールが背面側に戻り、この際に前記仮止め手段によりペーパー端部の仮止めが解除されるように構成されている、請求項１記載のロールペーパー用ディスペンサー。
【０００７】
＜請求項３記載の発明＞
一対の送りロールを駆動させる駆動手段と、この駆動手段のＯＮ／ＯＦＦを行なうためのスイッチとを有する請求項１又は２記載のロールペーパー用ディスペンサー。
【発明の効果】
【０００８】
以上のとおり本発明によれば、本発明の主たる課題は、比較的簡素な機構であり、しかもロールの紙を使い切った後に、煩雑な操作なく、しかも、紙切れの期間なく、次のロールを使うことができるロールペーパーディスペンサーを提供することにある。
【図面の簡単な説明】
【０００９】
【図１】本発明のロールペーパー用ディスペンサーの正面図である。
【図２】本発明のロールペーパー用ディスペンサーの側面図である。
【図３】本発明の衛生薄葉紙のロールペーパー支持・排紙機構を説明するための一部断面正面図である。
【図４】本発明の衛生薄葉紙のロールペーパー支持・排紙機構を説明するための一部断面側面図である。
【図５】本発明の衛生薄葉紙のロールペーパー支持・排紙機構の第１の説明図である。
【図６】本発明の衛生薄葉紙のロールペーパー支持・排紙機構の第２の説明図である。
【図７】本発明の衛生薄葉紙のロールペーパー支持・排紙機構の第３の説明図である。
【図８】本発明の衛生薄葉紙のロールペーパー支持・排紙機構の第４の説明図である。
【図９】本発明の衛生薄葉紙のロールペーパー支持・排紙機構の第５の説明図である。
【発明を実施するための形態】
【００１０】
次いで、本発明の実施の形態を図１〜８を参照しながら以下に詳述する。
本発明のロールペーパー用ディスペンサーＸ１は、例えば、キッチンペーパー、タオルペーパー等の手や顔などの肌の清拭や食材のドリップや水分等の拭き取りに用いられる衛生薄葉紙ロールのディスペンサーである。
【００１１】
本発明のディスペンサーＸ１は、その素材が例えばＡＢＳ樹脂等の合成樹脂であり、ケース本体１と、ケース本体内部に適宜設けられるロールペーパーの支持・排出機構と、蓋体２とを備える。
【００１２】
前記ケース本体１は、天板部１０と底板部１１と背板部１２とこの背板部１２の両側縁若しくは両側縁部において、前記背板部１２と直角をなして手前に延在する左右一対の本体側板部１３，１３とを有する。図示の形態では、図２の側面図から理解されるように、本体側板部１３，１３の正面側が欠損されているが必ずしもこの形態に限られない。
【００１３】
また、本発明のケース本体１では、前記底板部１１の正面側が天板部１０側に向かって傾斜されているとともに、この傾斜部分に幅方向細長の下部取り出し口１４が形成されている。このように底板部１１が傾斜されていることにより、ペーパーシートの取り出しがより容易となる。
【００１４】
他方、本発明の蓋体２は、上部がケース本体１の天板部１０と一連となるような湾曲面部分を有する前板部２０と、この前板部２０と直角をなして手前に延在する左右一対の蓋体側板部２１，２１とを有し、ケース本体１の正面側開放部分を被覆すように配置され、前記ケース本体１とともに箱型のディスペンサー外郭を構成する。
【００１５】
また、この蓋体２は、ケース本体１に対してハッチ式に取付けられ、跳ね上げ式或いは引き下げによって、ケース本体の正面側を開放露出状態とすることが可能となっている。なお、ハッチ式にするにあたっては、図示例の如く、ケース本体１の天板部１０の正面側縁と蓋体２の前板部２０の背面側上縁に蝶番機構２３を設けるようにすればよい。また、他の例として、前記蝶番機構をケース本体１の底板部１１の正面側縁と蓋体２の前板部２０の下縁に設けるようにすればよい。さらには、図示はしないが、各本体側板部の上部或いは下部に一対の凸部、各蓋体側板部の上部或いは下部に前記凸部に対応する一対の嵌合孔を設けて、これらを嵌め込むようにして、ケース本体と蓋体とを連結することで達成できる。もちろん、凸部と嵌合孔とは対をなせばよく、そのどちらがケース本体側であるかわ問わない。
【００１６】
他方、本発明のディスペンサーＸ１では、特徴的に内部において以下の特徴的なロールペーパーの支持・排出機構・構造を採る。
まず、本発明のディスペンサーＸ１は、ケース本体１内の天板部１１側（上部側）においてロールペーパー５を回動自在に支持する左右一対の上部支持手段３０，３０を有する。この上部支持手段３０，３０は、図示例においては、ケース本体１内上部において両本体側板部１３，１３からケース本体１幅方向に向かって突出する一対の支持片３１，３１を有しており、この支持片３１，３１の先端側部分がロールペーパー５の管芯５１内に自由な状態で入り込むように配され、ロールペーパー５をケース本体１内の上部位置において回動自在に支持する。
【００１７】
また、上部支持手段３０，３０は、前記支持片３１，３１の基端側に、ゴムバネ、コイルバネ等の基端側に付勢手段を位置させて、通常状態が伸張状態とされたテレスコピック機構の伸縮自在な構造が例示でき、このようにすれば当該支持片３１，３１を側板側に押し込んだときにロールペーパー５を正面側から支持片間に簡易に挿入することができる。
【００１８】
その他、支持手段は、背板部の上部から前板部側に突出する一対の支持材の先端に、幅方向内面に向かって突出する回動自在な回転軸を設けるように構成してもよい。この回転軸がロールペーパーの軸心内に入り込むようにすれば、ロールペーパーをディスペンサー上部にて回動自在に支持できる。
【００１９】
他方、本発明のディスペンサーＸ１では、この上部支持手段３０，３０に支持されロール５のロール径を監視するセンサー（図示しない）を備える。このセンサーのケース本体１内における設置位置はロールペーパーの回動及び後述するロールペーパーの下部への移動を妨げない範囲で適宜の位置とすることができる。なお、センサーは、光学的センサーに代表される非接触式のセンサーであってもよいし、例えば、ロール径が所定径に減少したときにセンサー端子が非接触となってロール径の増減を感知するような接触型のセンサーであってもよい。この種のセンサーについては、既知のセンサー技術を採用できる。
【００２０】
他方、本発明のディスペンサーＸ１では、上記センサーによって感知されたロール５のロール径の減少に応じて前記上部支持手段のロール支持を開放する開放手段を備える。この開放手段は、例えば、前記支持片３１，３１を伸縮させる機構や支持片３１，３１の基端側に位置して、支持片３１，３１を可倒させる機構等が挙げられる。図示の形態では、支持片３１，３１を支持片回転軸３２，３２を軸として下方側に倒す機構を採用している。なお、前記センサーからの感知信号に応じて支持片３１，３１を下方に倒す制御機構は既知の制御機構による。また、本ディスペンサーＸ１では、開放が一度行なわれた後には、開放前状態に自動的に戻るように構成されているのが望ましい。もちろん、手動で戻るように構成してもよい。これは、上述の既知の制御技術によればよい。
【００２１】
さらに、本発明のディスペンサーＸ１は、前記上部支持手段３０，３０の下方に位置して、ロールペーパー５を回動自在な状態に受けて支持する下部支持手段４０を備える。この下部支持手段４０は、例えば、上部開放の半筒状或いは下部凹の湾曲板の受け皿様のものが例示できる。このような下部支持手段４０とするなら、ロールの回転を妨げないように、その表面は平滑面とするのがよい。
【００２２】
他方、本発明のディスペンサーＸ１では、この下部支持手段４０に支持されロールのロール残を監視するセンサー（図示しない）をも備える。センサーの設置位置は、本発明の作用を妨げない範囲で適宜ディスペンサーの内外に設置すればよい。このセンサーは、上部支持手段３０に支持されたロール５の径を監視するセンサーと同様に光学的センサーに代表される非接触式のセンサーであってもよいし、例えば、ロール径が所定径に減少したときにセンサー端子が非接触となってロール径或いはそこから繰り出されるペーパーシートの有無を感知するような接触型のセンサーであってもよい。この種のセンサーについては、既知のセンサー技術を採用できる。
【００２３】
他方、本発明のディスペンサーＸ１は、各支持手段３０，４０に支持された状態のロールの軸心と平行な軸心となるように配置され、その軸心の平行を維持しつつ、背面側と（背板部側）と正面側（前板側）との間を移動可能な可動ロール５０を備える。
【００２４】
また、本発明のディスペンサーＸ１は、前記可動ロール５０が正面側（蓋体側）に位置している状態で、上部支持手段３０，３０に支持された状態のロールペーパー５から繰り出されたペーパーシート５Ａに対して正面側（前板部側）から当接して可動ロール５０との間で挟持する抑えロール６０を備える。この抑えロール等６０は、例えば、本体側板部或いは蓋体側板部の間に架橋されるようにして配置すればよい。
【００２５】
ここで、前記可動ロール５０が背面側（背板部側）に位置している際における抑えロール６０との離間距離は、少なくとも、上述の上部支持手段３０に支持されたロールのロール径を感知するセンサーが検知する、所定径以下の径よりも、幅広となるように構成されている。これにより、上部支持手段が開放されたときに、可動ロール５０と抑えロール６０との間をロールが通ることが可能となる。
【００２６】
他方、可動ロール５０は、通常状態においては、背面側（背板部側）に位置され、下部支持手段４０に支持されたロールのペーパー残を感知するセンサーが、下部支持手段４０に支持されたペーパーロールがなくなったことを感知したときに、背面側（背板部側）から正面側（前板部側）へと一時的に自動的に移動する。
【００２７】
なお、図示例においては、この可動ロール５０は、その両端軸が、ケース本体１の下部において基端が回動自在な回転軸５２に連結された揺動ガイド５１の先端部に連結されており、前記回転軸を軸とする揺動ガイド５１先端の正面側（前板部側）及び背面側（背板部側）への揺動にともなって、上記ロール軸との軸心平行状態をもって移動をするように構成されている。なお、この可動ロール５０の移動機構は、本体側板部に対して正面側と背面側とに延在するレールを設けて、可動ロールの両端軸がこのレール上を移動するように構成することも例示できる。
【００２８】
なお、可動ロール５０の移動は、例えば、前記センサーに応じて、その感知信号に応じて、前記揺動ガイド５１を適当な方向へ揺動させる構成とすることができる。揺動ガイド５１の移動は、既知のサーボ機構、モーター等の駆動手段（図示しない）によることができる。また、可動ロールの移動機構をレールによるものとするならば、同様にセンサーの感知信号に応じて、可動ロール５０をサーボ機構によって側板部に配したレール上を移動するように構成することができる。
【００２９】
他方、この可動ロールには、図示はしないが、上部支持手段に支持されている未使用のロールペーパーのペーパー端部を仮止めする仮止め手段が設けられている。この仮止め手段は、可動ロールの両端部において幅方向内側に向かって、かつ、可動ロールのロール周面との間に若干離間して、配置される小突片が例示できる。かかる小突片とロール周面との間にペーパー端部を位置させて緩く挟持させることで、ペーパー端部が可動ロールに仮止めされる。
【００３０】
また、本発明のディスペンサーＸ１では、前記可動ロール５０及び抑えロール６０の下方かつ、取り出し口１４近傍に位置して、上部支持手段３０又は下部支持手段４０に支持されているロールペーパー５から繰り出されるペーパーシートの端部を前記取り出し口１４へと案内する一対の送りロール７０，７０を備える。この一対の送りロール７０，７０は、図示例のように、支持されるロール軸心と平行な軸心となるように配置された一対の回動自在なロールであり、例えば、蓋体或いはケース本体の側板部に対して支承される。
【００３１】
また、この一対の送りロール７０，７０は、可動ロール５０が正面側に位置している場合に、可動ロール５０の回転と連動して回転するように構成されている。そして、好ましくは、この連動は、下部支持手段３０に支持されたロールペーパーのペーパー残に応じて行なわれる。すなわち、下部支持手段４０に支持されたペーパーロールから繰り出されるペーパーシートを前記センサーによって感知し、この感知信号に応じて連動、非連動が選択される。このセンサーは、上述の下部支持手段の残量を検知して可動ロール５０の移動を行なうためのセンサーと共用することができる。また、別途のセンサーを設けてもよい。なお、センサーは、上部支持手段のセンサーと同様に、既知の非接触、接触センサーを用いることができるし、その設置位置も適宜の箇所とすることができる。
【００３２】
さらに、本発明のディスペンサーＸ１では、好ましく、この送りロール７０，７０が駆動原（図示しない）によって駆動できるように構成されている。この駆動原は、ＡＣアダプタによる電源供給、乾電池等の電池からの電源供給を受けて作動するモーター機構などが挙げられる。なお、このモーター機構等は、例えば、センサー機能によって、取出し口下部に手をかざしたときに、これを感知した適宜の長さのペーパーシートを取り出し口から露出するように自動的にペーパーの紙送りをするように構成するのが望ましい、ディスペンサーＸ１の外部に、駆動原の操作を可能とするスイッチを配置して、これによって操作するようにしてもよい。
【００３３】
以上の機構、構成を有する本発明のディスペンサーＸ１では、特徴的に、以下のように動作・使用され、その作用効果を発揮する。これを特に図５〜９を参照しながら詳述する。
まず、特に図５に示されるように、上部支持手段３０，３０に支持された状態のロールペーパー５Ａから繰り出されたペーパーシート５ａは、送りロール７０，７０に挟持され、その先端が取り出し口１４からディスペンサーＸ１の外部に露出される。
かかるロールペーパー５Ａの取付けによって、ディスペンサー外部から上部支持手段３０，３０に支持されたロールペーパー５Ａから繰り出されたシート５ａを順次引き出して使用することが可能となる。
【００３４】
そして、使用によって、ロールペーパー５Ａのロール径が減少したことをセンサーが感知すると、図６〜図７に示されるように、上部支持手段３０，３０が開放され、所定直径となったロールペーパー５Ａは、可動ロール５０と抑えロール６０との間をくぐり抜けるようにして、ディスペンサー内部で下部へと自由落下により移動される。なお、この移動は、完全な自由落下によるものではなくてもよい。適宜の下降のためのガイド手段を設けることができる。
【００３５】
なお、センサーによる感知は、ロール径が使用開始時の１／５程度になったときに、これを感知するようにするのが望ましい。例えば、業務用、家庭用の２５０ｍ巻きのロールペーパーであれば、その直径が１７５ｍｍ程度であるので、これが３５ｍｍ程度に減少したときに、これを感知するようにする。この程度であると残５０ｍ前後の残があり、後述する次のロールペーパーをセットするまでに、当該ロールペーパーは十分な量が残り、使用不可能な期間を最小限にできる。また、その重量、落下についても、概ねこの程度のロールペーパーであれば、３７０ｇ前後であるのでディスペンサー、或いは機構にかける重量負担が小さくてすむ。
【００３６】
このとき、図７に示されるように、上部支持手段３０，３０に支持されていたロール５Ａから繰り出されたペーパーシート５ａの端部は、送りロール７０，７０には挟持されているとともに、さらにその先端は取り出し口１４からディスペンサー外部に露出されている。したがって、上部支持手段３０，３０から可動ロール５０と抑えロール６０との間をくぐり抜けて、下部支持手段４０にロール部分が移動しても、ロールペーパー５Ａのペーパーシート５ａの端部は、取り出し口１４から露出された状態が維持され、ディスペンサーＸ１外部からペーパーシート５ａを引き出して使用するにあたっては、何ら問題がない。なお、上述のとおり、下部支持手段４０に支持されるようになったロールペーパー５Ａからもある程度の長さ、ペーパーシートの繰り出しが可能な程度にセンサーによるロール径の感知径は設定するのが望ましい。
【００３７】
そして、このように上部支持手段３０，３０に支持されていたロールペーパー５Ａが下部支持手段４０に移動されれば、新たなロールペーパーを上部支持手段に支持させることが可能となる。
【００３８】
そして、図８に示されるように、このように上部支持手段の支持されていない間に、新たなロールペーパーを上部支持手段に支持させる。このとき、背板部側に位置する可動ロールの仮止め手段に、新たに上部支持手段に支持したロールペーパーのペーパー端部を仮止めしておく。これにより、上部支持手段３０，３０に新たに支持したロールペーパー５Ｂの使用準備が整う。
【００３９】
そして、図９に示されるように、下部支持手段４０に支持されたロールペーパー５Ａからのペーパーシート５ａの残量が無くなったとき、あるいは極少なくなったたりしたことがセンサーによって感知されたときには、可動ロール５０が前板側に移動する。このとき、可動ロールと送りロール７０とが連動するようになっているので、送りロール７０，７０の駆動原をディスペンサー外部から操作可能なスイッチによりあるいは自動で駆動させることで、送りロール７０，７０が連動して、上部支持手段３０，３０に支持された新たなロールペーパー５Ｂから繰り出されるペーパーシート５ｂが、一対の送りロール７０，７０の間を通って、取り出し口１４へ案内される。
【００４０】
そして、このように送りロールに７０，７０に新たなロールペーパーのペーパー端部が挟持されたならば、前記可動ロール５０が、再度背面側に移動する。このとき、可動ロールの仮止め手段が外れる。
かくして、上部支持手段３０，３０に新たなに支持されたロールペーパー５Ｂからのペーパーシート５ｂが使用可能になる。
【００４１】
なお、本ディスペンサーＸ１においては、各センサーからの感知信号に応じた可動ロールの移動制御や上部支持手段３０の支持開放制御は特に限定されず、従来既知の各駆動制御技術によって行なえばよい。また、上部開放手段、可動ロール、送りロールが、連動制御であるか非連動制御も問わない。
【００４２】
以上、詳述のとおり、本発明のロールペーパー用ディスペンサーによれば、比較的簡素な機構であり、しかもロールの紙を使い切った後に、煩雑な操作なく、しかも、紙切れの期間がほとんどなく、次のロールを使うことができる。
【符号の説明】
【００４３】
１…ケース本体、２…蓋体、５，５Ａ，５Ｂ…ロールペーパー、５ａ，５ｂペーパーシート、１０…天板部、１１…底板部、１２…背板部、１３…本体側板部、１４…取り出し口、２０…前板部、２１…蓋体側板分、２３…蝶番機構、３０…上部支持手段、３１…支持片、３２…支持片回転軸、４０…下部支持手段、５０…可動ロール、５１…揺動ガイド、５２…揺動ガイドの回転軸、６０…抑えロール、７０…送りロール、７１…ギア、Ｘ１…ロールペーパー用ディスペンサー。
【図１】
2010233971.tif 000003
【図２】
2010233971.tif 000004
【図３】
2010233971.tif 000005
【図４】
2010233971.tif 000006
【図５】
2010233971.tif 000007
【図６】
2010233971.tif 000008
【図７】
2010233971.tif 000009
【図８】
2010233971.tif 000010
【図９】
2010233971.tif 000011